(57)【要約】【課題】引戸式の自動ドアにおいて過剰なコストや手間を要することなく扉体に対し電力供給とデータ送信を含む２系統以上の通電を安定的に実施可能とする。【解決手段】ハンガー３Ａの滑車をレール２０に載せて扉体５を吊り下げる上部フレーム２Ａと、その前面側で上下に複数並列配置された保持体２１，２２と、通電線２４０が並列配置されながらカーテンレール状を呈して保持体２１，２２で保持されたガイドレール２４，２４と、その内空部２４ａに挿入され接触端子２５０が通電線２４０に接触しながらガイドレール２４内を摺動する複数個のスライダ２５と、スライダ２５が開口部２４ｂから露出した部分とハンガー３Ａとを連結して各スライダ２５を扉体５の開閉動作に追従させる複数本の支持アーム３２と、接触端子２５０から扉体５側に通電経路を各々形成する複数本の配線とを備え、扉体５に電力供給とデータ送信を含む２系統以上の通電を行うものとした。【選択図】図２
2019073865.tif 000002
【特許請求の範囲】
【請求項１】
引戸式の自動ドアに適用される通電装置であって、扉体上端側に設けたハンガーの滑車をレールに載せて前記扉体を吊り下げながら開閉動作を案内する上部フレームと、該上部フレームの前面側で上下に２段以上並列配置されたガイドレール保持手段と、内空部の内側面に少なくとも１対の通電線が長手方向に並列配置されているとともに前記内空部の前後幅が開口部の前後幅よりも大きなカーテンレール状を呈して前記ガイドレール保持手段により前記上部フレームの長手方向に沿った状態で各々保持された複数本のガイドレールと、該ガイドレールの内空部に各々挿入されて表面に設けた複数個の接触端子が前記通電線に各々接触しながら前記ガイドレールの長手方向に摺動可能な複数個のスライダと、該スライダが前記開口部から外側に露出した部分と前記ハンガーとを連結しながら前記スライダを前記扉体の開閉動作に各々追従させる複数本の支持アームと、前記スライダの各接触端子から前記扉体側に通電経路を各々形成する複数本の配線とを備えており、２対以上の前記通電線を介して前記扉体に対し電力供給とデータ送信を含む２系統以上の通電を行う、ことを特徴とした自動ドア用通電装置。
【請求項２】
前記ガイドレール保持手段は、その内空部に前記ガイドレールを挿入して保持することのできるカーテンレール状の部品からなり、その背面側に前記上部フレーム前面の取付け位置に固定するための取付構造を備えており、前記上部フレームに対し着脱自在なものとされている、ことを特徴とする請求項１に記載した自動ドア用通電装置。
【請求項３】
前記ガイドレールは、その内空部の頂壁面に１対以上の前記通電線を備えていることに加え、前記内空部の前後両面にも前記通電線を各々備えており、これに挿入する前記スライダの上面及び前後両面に前記通電線に各々対応した位置で前記接触端子が設けられており、１本の前記ガイドレールで２系統以上の通電が可能とされている、ことを特徴とする請求項１又は２に記載した自動ドア用通電装置。
【請求項４】
前記ガイドレールに複数本配置された通電線は、同一系統の対の通電ラインが前記ガイドレールの内空部における同一面上に並ばずに隔離された配置となる接続状態とされている、ことを特徴とする請求項１，２又は３に記載した自動ドア用通電装置。
【発明の詳細な説明】
【技術分野】
【０００１】
本発明は、自動ドアの扉体に通電するための装置に関し、殊に、左右にスライドしながら開閉する引戸式の扉体に、フレーム側から電力供給及びデータ送信の２系統以上を通電させる自動ドア用通電装置に関する。
【背景技術】
【０００２】
従来より、外部から目立ちやすい自動ドアの扉体に照明を配設して、広告効果や審美効果を高めようとすることが行われている。この場合、引戸式の自動ドアにおいては、その扉体が入口開口部の上辺側で平行に配置された上部フレームのレールに吊り下げられた状態で左右にスライド移動するため、その扉体に対しフレーム側から電力を安定的に供給することが容易ではなく、例えば長さに余裕のあるコードで電力供給する場合は、コードの余った部分が絡んだり断線を生じたりするという問題があった。
【０００３】
これに対し、特開平７−８２９６５号公報には、上部フレームに横長の給電ループコードを配設するとともに、給電ループコードを挿通された２次コイルが扉体の上端面に配設されたものとして、扉体側に設けた駆動モータや照明に無結線で電力が供給される方式が提案されており、フレーム側から扉体側に安定的に電力を供給することを可能としている。しかし、この方式においては、フレームに給電ループコードを配設するのが容易ではないことに加え、その給電構造が複雑になってしまうため、既存の自動ドアに給電装置を設けるには過大な手間とコストを要していた。
【０００４】
そこで、本願発明者・出願人らは、先の特開２０１５−１３７５３９号公報において、扉体を吊り下げる上部フレームに、対の銅線を内側面に装着した下向きＣ字状のガイドレールを保持するための保持体（挿入部）を設け、そのガイドレールに、スライダ（移動本体）を対の接触端子が各銅線に接触する状態で挿設するとともに、スライダのガイドレール開口側から下向きに突出して露出した部分と扉体のハンガーとを支持アーム（結合部材）で結合して支持する構成としたことにより、スライダが扉体の開閉動作に追従してガイドレール内を左右に摺動するものとして、フレーム側の給電線を銅線、接触端子、支持アームを介して扉体側に通電させる方式を提案した。
【０００５】
このように、比較的簡易で低廉な構成により、左右にスライド移動して開閉動作を行う扉体に対し安定的に電力を供給することが可能となった。一方、近年では、施設の正面入口部分にある自動ドアにおいて、さらなる宣伝広告効果、審美効果等を賦与したいというニーズもあり、照明のみならず、扉体から音響を発したり映像を表示したりする技術の開発が試みられている。
【０００６】
しかしながら、左右に開閉動作を行う扉体に対して、自動ドアのフレーム側から照明用の電力供給のみならず、映像のライブデータや音声データの信号を複数系統で通電させるためには、通電装置の構造的な複雑化を招いてしまい、自動ドアの設置コストが過剰に高騰するとともに、これを既存の入り口部分に設ける際に大きな手間を要する結果となる。また、その通電ラインにおいて電力供給とデータ送信の２系統以上を設けるということは、通電装置におけるメンテナンスの手間を過大にしてしまうことになる。
【先行技術文献】
【特許文献】
【０００７】
【特許文献１】特開平７−８２９６５号公報
【特許文献２】特開２０１５−１３７５３９号公報
【発明の概要】
【発明が解決しようとする課題】
【０００８】
本発明は、上記のような問題を解決しようとするものであり、引戸式の自動ドアにおいて、過剰なコストや手間を要することなく、開閉動作を行う扉体に対し、電力供給とデータ送信を含む２系統以上の通電を安定的に行えるようにすることを課題とする。
【課題を解決するための手段】
【０００９】
そこで、本発明は、引戸式の自動ドアに適用される通電装置であって、扉体上端側に設けたハンガーの滑車をレールに載せて扉体を吊り下げながら開閉動作を案内する上部フレームと、その上部フレームの前面側で上下に２段以上並列配置されたガイドレール保持手段と、内空部の内側面に少なくとも１対の通電線が長手方向に並列配置されているとともに内空部の前後幅が開口部の前後幅よりも大きなカーテンレール状を呈してガイドレール保持手段により上部フレームの長手方向に沿った状態で各々保持された複数本のガイドレールと、各ガイドレールの内空部に挿入されて表面に設けた複数個の接触端子が各通電線に接触した状態でガイドレールの長手方向に摺動可能な複数個のスライダと、各スライダが前記開口部から外側に露出した部分と前記ハンガーとを連結しながら各スライダを扉体の開閉動作に追従させる複数本の支持アームと、前記スライダの各接触端子から扉体側に通電経路を各々形成する複数本の配線とを備えており、２対以上の通電線を介して扉体に対し電力供給とデータ送信を含む２系統以上の通電を行う、ことを特徴とする自動ドア用通電装置とした。
【００１０】
このように、少なくとも１対の銅線等からなる通電線を内装したガイドレールを上部フレームの前面に少なくとも上下２段以上並列に保持しただけの簡易な構成により、ガイドレールの通電線とこれに接触する各スライダを介して、電力供給（給電）とデータ送信を含む２系統以上の通電ラインを低コストで安定的に確保できるものとなる。
【００１１】
この場合、その複数のガイドレール保持手段は、その内空部にガイドレールを挿入して保持することのできるカーテンレール状の部品からなり、その背面側に上部フレーム前面の取付け位置に固定するための取付構造を備えており、上部フレームに対し着脱自在なものとされている、ことを特徴としたものとすれば、必要な通電ラインの数に合わせた数のガイドレール保持手段を固定すれば良いことに加え、着脱自在であるためにメンテナンス時に通電線・接触端子等の消耗部品の交換作業が極めて容易なものとなる。
【００１２】
さらに、上述した自動ドア用通電装置において、そのガイドレールは、内空部の頂壁面に１対以上の通電線を備えていることに加え、内空部の前後両面にも各々通電線を備えており、これに挿入するスライダの上面及び前後両面に各通電線に対応した位置で接触端子が設けられており、１本のガイドレールで２系統以上の通電が可能とされている、ことを特徴としたものとすれば、このような２本のガイドレールを上下２段以上設けることで、４系統以上の通電ラインを確保することが可能となり、例えば、駆動モータの給電ライン、照明・ディスプレイ・スピーカの給電ラインに加え、画像データの通信ライン、音響データの通信ラインを確保することができる。
【００１３】
さらにまた、上述した自動ドア用通電装置において、ガイドレールに複数本配置された通電線は、同一系統の対の通電ラインがガイドレール内空部における同一面上に並ばずに隔離された配置の接続状態とされている、ことを特徴としたものとすれば、同一系統の通電ライン間で生じる短絡による破損を回避しやすいものとなる。
【発明の効果】
【００１４】
１対以上の通電線を備えたガイドレールを上部フレームの前面に上下２段以上並列に保持するものとした本発明によると、過剰なコストや手間を要することなく、左右に開閉動作を行う扉体に対し電力供給とデータ送信を含む２系統以上の通電を安定的に行えるものとなる。
【図面の簡単な説明】
【００１５】
【図１】本発明における第１の実施の形態である自動ドア用通電装置の側面図である。
【図２】図１の自動ドア用通電装置の分解斜視図である。
【図３】本発明における第２の実施の形態である自動ドア用通電装置の部分縦断面図である。
【図４】図３の自動ドア用通電装置の分解斜視図である。
【図５】（Ａ）は図１の自動ドア用通電装置にガイドレールとスライダの応用例を適用した場合の拡大した部分縦断面図、（Ｂ）は図３の自動ドア用通電装置に（Ａ）の応用例を適用した場合の拡大した部分縦断面図である。
【図６】図５（Ｂ）の応用例における通電ラインの適用状態の一例を示す拡大した縦断面図、（Ｂ）は図５（Ｂ）及び（Ａ）における保持体の変形例を示す拡大した縦断面図である。
【図７】本発明における第３の実施の形態である自動ドア用通電装置の側面図である。
【図８】（Ａ）及び（Ｂ）は図７の変形例を示す部分縦断面図である。
【発明を実施するための形態】
【００１６】
以下に、図面を参照しながら本発明を実施するための形態を説明する。
【００１７】
図１は、本発明における第１の実施の形態である自動ドア用通電装置１Ａを側面図で示している。この自動ドア用通電装置１Ａは、駆動モータ、照明装置、ＬＥＤディスプレイ装置等を扉体５に備えた引戸式の自動ドアに適用され、その各装置に対し電力供給やデータ送信等の通電ラインを確保するための装置である。この自動ドア用通電装置１Ａは、扉体５の上端側に設けたハンガー３Ａの滑車３１を下部のレール２０に載せて扉体５を吊り下げながらその開閉動作を案内する上部フレーム２Ａを備えている。
【００１８】
図２の分解斜視図を参照して、その上部フレーム２Ａの前面側には、上下に２段並列配置されて各々内腔部２１ａ，２２ａと開口部２１ｂ，２２ｂを有したカーテンレール状のガイドレール保持手段である保持体２１，２２を備えている。その保持体２１，２２は、内側面に１対の通電線２４０，２４０が長手方向に並列配置されその内空部２４ａの前後幅が開口部２４ｂの前後幅よりも大きなカーテンレール状を呈したガイドレール２４を、長手方向が上部フレーム２Ａの長手方向に沿った状態でその内腔部２１ａ，２２ａに各々保持している。
【００１９】
各ガイドレール２４の内空部２４ａには、側面視略Ｔ字状のスライダ２５が挿入されており、スライダ２５外面に露出した複数個の接触端子２５０が各通電線２４０に接触しながら、ガイドレール２４内で長手方向に摺動可能とされている。また、各スライダ２５がガイドレール２４の開口部２４ａから外側に突出して露出した部分と扉体５上端側に設けたハンガー３Ａのハンガー本体３０Ａとを連結しながら各スライダ２５を扉体５の開閉動作に追従させる複数本の支持アーム３２を備えている。尚、各ガイドレール２４、各スライダ２５は、短絡防止の観点等から非導電性であることが必要であり、非導電性で表面の摩擦抵抗が小さい樹脂素材を用いて成形することが好ましく、またその接触端子は、基端側に配した板バネ等の付勢手段で先端側を突出する方向に付勢される構成とすることが好ましい。
【００２０】
さらに、図示は省略するが、各通電線２４０には、その一端側に電力供給ラインやデータ送信ライン等の通電経路を構成する図示しない複数本の配線が接続されるとともに、上部フレーム２Ａ側からスライダ２５の各接触端子２５０，２５０，２５０，２５０を介し扉体５側に通電経路を各々形成する図示しない複数本の配線を備えて、２対以上の通電線２４０を介して扉体５に対し電力供給とデータ送信を含む２系統以上の通電を実施可能なものとされており、この点が本発明における最大の特徴部分となっている。
【００２１】
そのため、この自動ドア用通電装置１Ａにおいては、扉体５に設けた駆動モータ、照明、ＬＥＤディスプレイ等の装置に電力を連続的に供給するラインに加え、ＬＥＤディスプレイ等の画像表示手段において静的又は動的な画像を表示させるための画像データを、簡易な構成により過剰なコストや手間を要することなく、外部に接続された上部フレーム２Ａ側から扉体５側に、連続的且つ安定的に送信することを可能としている。
【００２２】
図３は、本発明における第２の実施の形態である自動ドア用通電装置１Ｂを部分縦断面図で示しており、図４はそれを分解者視図で示している。この実施の形態においては、そのガイドレール保持手段である複数の保持体２６が、その内空部２６ａにガイドレール２４を挿入して保持することのできるカーテンレール状の部品からなり、その背面側に、上部フレーム２Ａ前面に上下２段以上（３段）で設けた取付け位置に固定するための取付構造を備えており、上部フレーム２Ａに対して着脱自在とされている点を特徴としている。
【００２３】
そのガイドレール保持手段としては、図３において取付構造部分を拡大した円形部に示すように、保持体２６の背面上端側で後方に突出した脚部２６１の上面に設けた凹部２６１ａに、上部フレーム２Ｂ前面から前方に突出した取付フランジ２０１の下面に設けた凸部２０１ａが係合するとともに、保持体２６の背面下端側で後方に突出した脚部２６２の下面に設けた凸部２６２ａが、上部フレーム２Ｂ前面から前方に突出した取付フランジ２０２の上面に設けた凹部２０２ａに係合する構成が好適である。
【００２４】
これにより、着脱操作の際に脚部２６１，２６２が弾性変形しながらフランジ２０１，２０２の間に挿入・脱抜可能なものとなる。尚、この場合、下側の角形の取付構造の方が上側の丸型の取付構造よりも係合力が強いことから、両者を連結する場合は、保持体２６の前面側をやや斜め下向きにしながら先に下側を係合させてから上側を係合させればよく、脱抜する場合は上側から係合を解除すればよい。
【００２５】
このように、保持体２６の背面側に上部フレーム２Ｂ前面の取付フランジ２０１，２０２による取付け位置に固定するための取付構造を設けて、上部フレーム２Ｂの前面に上下方向に複数段並列配置した取付位置に対して着脱自在なものとしたことにより、必要な通電ラインの数に合わせた数の保持体２６を固定するだけで実施可能なものとなる。また、各保持体２６が着脱自在であることで、そのメンテナンス時に通電線２４０、接触端子２５０、スライダ２５本体等の摩耗・劣化を伴う消耗部品の交換作業が極めて容易に行えるものとなる。
【００２６】
図５は、上述したガイドレール２４及びスライダ２５の応用例としてのガイドレール２４Ｂ，スライダ２５Ｂを示している。図（Ａ）は、そのガイドレール２４Ｂ，スライダ２５Ｂを、図１の自動ドア用通電装置１Ａの保持体２１に適用した場合であり、図（Ｂ）は図３の自動ドア用通電装置１Ｂの保持体２６に適用した場合である。
【００２７】
この応用例では、そのガイドレール２４Ｂが、内空部の頂壁面に１対の通電線２４０，２４０を露出して備えていることに加え、内空部の前後両面にも各々通電線２４０，２４０を露出して備えており、これに挿入したスライダ２５Ｂの上面及び前後両面には、各通電線２４０に対応した位置で接触端子２５０が設けられたものとなっている。
【００２８】
そのため、ガイドレール２４Ｂは、１本で２系統の通電ラインを確保することができ、２本以上のガイドレール２４Ｂを上下に並列配置することにより、４系統以上の通電ラインを確保することが可能となる。例えば、扉体５の駆動モータの給電ライン、照明・ディスプレイ・スピーカ等の給電ラインに加え、これらにデータを送信する画像データの通信ラインや音響データの通信ラインを確保することができる。
【００２９】
図６（Ａ）は、図５（Ｂ）の応用例における通電ラインの適用状態の一例（直流の場合）を示すものであり、ガイドレール２４Ｂの内腔部に４本配置された通電線２４０において、同一系統（ＡとＡ、ＢとＢ）の対の通電ラインを同一面上に並ばずに隔離された配置とした点を特徴としている。
【００３０】
即ち、図のようにガイドレール２４Ｂ内空部の３面を使用して通電線２４０を配置する場合に、同一系統の対の通電ラインを異なる面の配置にすることにより、同一の通電ライン間で生じる短絡による破損を回避しやすいものとなる。また、上述した総ての例におけるガイドレールにも適用できる方式として、ガイドレールを上下に２段以上配置する際に、同一系統の対の通電ラインを上下のガイドレールに分散配置することが想定され、これにより一層安全性を確保しやすいものとなる。
【００３１】
図６（Ｂ）は、図３や図６（Ｂ）における保持体２６の変形例を示しており、保持体２６背面側の取付構造を、凹凸による係合ではなくネジ止め方式とした点を特徴としている。即ち、図３の自動ドア用通電装置１Ｂの場合は、上部フレーム２Ｂの前面取付位置に予め取付フランジ２０１，２０２を設けておく必要があるため、本発明を既存の上部フレームや既存の自動ドアにそのまま適用することが困難であったが、この例による保持体２６Ｂは、背面側にネジ止め用のフランジ２６５とこれを挿通したネジ１００を備えており、既存の上部フレームや既設の上部フレームの前面にネジ孔を設けるだけで本発明を実施することができる（保持するのはガイドレール２４，２４Ｂのいずれでも良い）。
【００３２】
即ち、図７に示すように、既存の上部フレームの取付位置にネジ孔を設けただけの上部フレーム２Ｃにおいて、前述した保持体２６Ｂを着脱自在に設けることができるため、コスト面で極めて有利なものとなっている。尚、この変形例は図３の自動ドア用通電装置１Ｂにおいても、取付用のネジ孔を設けるだけで適用できることは言うまでも無い。
【００３３】
図８は図７の自動ドア用通電装置１Ｃの変形例を示すものであり、図（Ａ）は上部フレーム２Ｄにおける保持体の各取付位置に、円形部の正面部分図に示すように複数の取付溝２１０を所定間隔で設け、保持体２６Ｃの背面側には取付溝２１０の内面形状に適合する外面形状の脚部２６５，２６５を設けた構成として、その脚部２６５を各取付溝２１０に嵌入して固定する方式としている。
【００３４】
図８（Ｂ）は、上部フレーム２Ｅにおける保持体の各取付位置に、円形部に正面部分図で示すように先端が直角に屈曲した鍵穴状の取付孔２１１を所定間隔で横向きにして設け、保持体２６Ｄの背面側に立設したネジ１１０の頭を大径部に挿入して屈曲した先端側に移動させることで固定する方式である（両者とも保持するのはガイドレール２４，２４Ｂのいずれでも良い）。
【００３５】
尚、上述した実施の形態において、各保持体２１，２２，２６，２６Ｂ，２６Ｃ，２６Ｄは、上部フレーム２Ａ，２ｂ，２Ｃ，２Ｄ，２Ｅの左右方向（長手方向）総てに亘って設けることを想定して図示・説明したが、必ずしも左右方向総てに亘って設ける必要はなく、少なくともスライダ２５，２５Ｂの摺動範囲をカバーできる範囲に限定してもよい。
【００３６】
また、各保持体２１，２２，２６，２６Ｂ，２６Ｃ，２６Ｄは、上部フレーム２Ａ，２ｂ，２Ｃ，２Ｄ，２Eの前面で横方向に総て一体となっている長尺のものにする必要はなく、ガイドレール２４，２４Ｂを横方向所定間隔で部分的に保持するように分割された短尺のものとしても良い。加えて、図示は省略するが、スライダ２５，２５Ｂと支持アーム３２の接続部分を、複数個の接続端子を設けた一対のコネクタ状部品からなるものとして、これらを連結するだけで支持アーム３２に内装した配線に各接触端子２５０を電気的に接続しながら支持される構成としても良い。
【００３７】
以上、述べたように、引戸式の自動ドアにおいて、本発明により、過剰なコストや手間を要することなく、開閉動作を行う扉体に対して電力供給とデータ送信を含む２系統以上の通電を安定的に行えるようになった。
【符号の説明】
【００３８】
１Ａ，１Ｂ，１C  自動ドア用通電装置、２Ａ，２Ｂ，２Ｃ，２D，２E  上部フレーム、３Ａ，３Ｂ  ハンガー、５  扉体、２０  レール、２１，２２，２６，２６Ｂ，２６C，２６D  保持体、２４，２４Ｂ  ガイドレール、２１ａ，２２ａ，２４ａ，２６ａ  内腔部、２５，２５Ｂ  スライダ、３１  滑車、３２  支持アーム、２０１，２０２  取付フランジ、２０１ａ，２６２ａ  凸部、２０２ａ，２６１ａ  凹部、２１０  取付溝、２１１  取付孔、２６１，２６２，２６５  脚部、２４０  通電線、２５０  接触端子
【図１】
2019073865.tif 000003
【図２】
2019073865.tif 000004
【図３】
2019073865.tif 000005
【図４】
2019073865.tif 000006
【図５】
2019073865.tif 000007
【図６】
2019073865.tif 000008
【図７】
2019073865.tif 000009
【図８】
2019073865.tif 000010